(57)【特許請求の範囲】
【請求項１】
遠心ファンを収納する空洞部を備えており、前記遠心ファンの回転軸方向に所定間隙で積層されて、前記遠心ファンの風を直交する２辺の直線状の端部側から吹き出す吹き出し口を備えた複数の薄板状体と、
前記遠心ファンの回転軸方向と平行に配列された複数の放熱フィンを備え、前記遠心ファンの風が前記吹き出し口の一辺と平行に流れている前記遠心ファンの外周の接線の延長線上に配置された第２の放熱フィン部と、
前記吹き出し口の前記第２の放熱フィン部以外の位置に設けられ、積層された前記薄板状体の端部によって形成された複数の放熱フィンを有する第１の放熱フィン部と、
一方の端部が、発熱部品と熱的に接続された前記薄板状体の部分に熱的に接続され、他方の端部が、前記第１の放熱フィン部および第２の放熱フィン部に熱的に接続されている少なくとも１つのヒートパイプと、
を備えたヒートシンク。
【請求項２】
前記第１の放熱フィン部は、前記遠心ファンの軸方向と垂直な方向に配置され、前記第２の放熱フィン部は、前記遠心ファンの軸方向と平行な方向にフィンが並列配置されている、請求項１に記載のヒートシンク。
【請求項３】
前記薄板状体は、積層されて形成された空間を流れる空気を誘導する空気誘導部を備えており、前記第２の放熱フィン部は、遠心ファンの風が吹き出し口の一辺と平行に流れている部分に配置され、前記第１の放熱フィン部は、それ以外の部分に配置されて、前記空気誘導部によって誘導された風が、前記第１の放熱フィン部および前記第２放熱フィン部を通過する、請求項１または２に記載のヒートシンク。
【請求項４】
前記薄板状体が、所定部分を切り込み、屈曲して起こして形成した、垂直部および水平部からなる概ねＬ字形の切り起こし部、および、切り起こしによって形成された開口部を備えており、前記水平部が他の薄板状体と熱的に接続され、前記空気誘導部が前記切り起こし部からなっている、請求項３に記載のヒートシンク。
【請求項５】
前記薄板状体の前記Ｌ字形の切り起こし部が、別の薄板状体に形成された前記開口部を貫通して、前記水平部が所定の薄板状体に熱的に接続されている、請求項４に記載のヒートシンク。
【請求項６】
前記第２の放熱フィン部は、上面部、垂直面部および底面部からなる概ねコの字形のフィンを並列配置して形成されている、請求項１から５の何れか１項に記載のヒートシンク。
【請求項７】
前記ヒートパイプの少なくとも一部が、前記薄板状体との間に、空間部を備えて配置されている、請求項１から６の何れか１項に記載のヒートシンク。
【請求項８】
前記空間部を形成して配置された前記ヒートパイプの部分の上面および下面を、冷却用の空気が流れるようにヒートパイプが配置されている、請求項７に記載のヒートシンク。
【請求項９】
前記ヒートパイプが２本の扁平型ヒートパイプからなり、発熱部品が熱的に接続された前記薄板状体の部分から、前記ヒートパイプが異なる方向に延伸して、前記薄板状体を囲むように配置されている、請求項１から８の何れか１項に記載のヒートシンク。
【発明の詳細な説明】
【技術分野】
【０００１】
この発明は、発熱部品等に熱的に接続されて発熱部品の熱を放熱するためのヒートシンク、特に、遠心ファンの風の流れを円滑にする、方向の異なる放熱フィンを備え、加工した薄板材を積層して形成されたヒートシンクに関する。
【背景技術】
【０００２】
近年、エレクトロニクス機器は、ＣＰＵ等の高出力、高集積の部品を内蔵している。半導体素子等の各種電子部品は、集積度が極めて高くなり、高速で情報の演算、制御等の処理を行うので、多量の熱を発生する。また、その他の機器においても熱の発生を伴う機器が増え、これらの機器においても放熱処理が重要な課題になっている。
【０００３】
これらの機器が発する熱を処理するために、各種ヒートシンクが用いられている。例えば、押し出し成形によるベースプレート部と放熱フィン部が一体的に形成されたヒートシンク、または、別々に作製された金属製のベースプレートと金属製の放熱フィンとを組み合わせたヒートシンク等がある。
【０００４】
即ち、別々に作製された金属製のベースプレートと金属製の放熱フィンとを組み合わせたヒートシンクは、一方の面に発熱素子が熱的に接続されるベースプレートの他方面に複数の薄板の放熱フィンを半田等によって接合して形成されたヒートシンクである。その他に、複数の溝部を備えたベースプレートの溝部に薄板フィンを挿入して、溝部の周辺部を機械的にカシメて、放熱フィンをベースプレートに接合するヒートシンクがある。
【０００５】
上述したようなヒートシンクと、強制冷却用のファンとを組み合わせて、発熱素子の熱が伝わった放熱フィンの間に冷たい空気を吹き付けて、発熱素子を冷却する方法が広く知られている。更に、発熱素子と放熱フィンとが離隔して配置されている場合に、発熱素子と放熱フィンとをヒートパイプによって熱的に接続し、発熱素子の熱をヒートパイプによって別の位置に配置された放熱フィンまで移動して、冷却用のファンによって冷却することも知られている。
【０００６】
更に、放熱効率を高めるために、空気取り入れ口および空気排出口を備えた筐体に遠心ファンを取り付けて発熱素子を冷却する遠心ファン付ヒートシンクが知られている。遠心ファン付ヒートシンクは、空気取り入れ口から取り入れた空気を、遠心ファンを回転させて、周囲に吹き付け、直接または筐体の壁面に誘導されて空気排出口近傍に配置された放熱フィンを通って空気を筐体外に排出している。放熱フィンにはヒートパイプが熱的に接続されて発熱素子の熱が移動され、上述したファンによって吹き付けられた空気によって放熱フィンに移動した発熱素子の熱が放散される。
【特許文献１】特開２００５−３８９８５号公報
【特許文献２】特開２００５−３２１２８７号公報
【発明の開示】
【発明が解決しようとする課題】
【０００７】
遠心ファン付ヒートシンクにおいては、上述したように、空気取り入れ口から取り入れた空気を、遠心ファンを回転させて、周囲に吹き付け、直接または筐体の壁面に誘導されて空気排出口近傍に配置された放熱フィンを通って空気を筐体外に排出している。空気排出口近傍における放熱フィンは、ファンの回転軸に平行に配置して使用されていた。しかし、遠心ファンの風は、必ずしも、放熱フィンの全面にわたって、フィンと平行に流れていないので、放熱フィンの一部では、風が円滑に通過できず、十分な冷却が行われていなかった。
【０００８】
上述した遠心ファンの風が放熱フィンを円滑に通過しない問題を解決するために、放熱フィンを空気排出口に対して斜めに設置することが行われたが、使用できる空間を有効に利用することができず、また、組立ても複雑であった。一方、風の流れを阻害しないために、ファンの回転軸と垂直方向に放熱フィンを配列する積層タイプも考案されているが、積層された放熱フィンの上下方向の熱伝導を得ることが必要であるため、放熱フィン全面を有効に利用することができず、効率が悪かった。
【０００９】
従って、この発明の目的は、遠心ファンの風が放熱フィンを円滑に通過することができる、冷却効率に優れたヒートシンクを提供することにある。
【課題を解決するための手段】
【００１０】
発明者は従来の問題点を解決するため、鋭意研究を重ねた。その結果、次の事項が判明した。即ち、積層した薄板材に、切り起こしによって概ねＬ字形の切り起こし部を形成し、切り起こし部の先端の平らな部分を積層した別の薄板材に接合して、ヒートシンクを形成し、切り起こし部の垂直な部分によって遠心ファンの風を所望の方向に誘導する。
【００１１】
この際、積層した薄板材の端部を第１の放熱フィンとして使用し、第１の放熱フィンと直交する方向に薄板材を並列配置した第２の放熱フィンを設ける。第２の放熱フィンは、遠心ファンの風が吹き出し口の一辺と平行に流れている部分に配置し、第１の放熱フィンを、それ以外の風の流れが曲がっている部分に配置すると、切り起こし部によって誘導された遠心ファンの風が２つの放熱フィンの間を円滑に通過することができ、冷却効率に優れたヒートシンクが得られる。
【００１２】
更に、切り起こしによって形成された開口部に、積層した別の薄板材の切り起こし部を貫通させて所望の薄板材に接合すると、切り起こし部も放熱機能を発揮し、積層した薄板材の間で、遠心ファンの風が相互に移動するので、効果的な冷却が可能であることが判明した。この発明は上述した事項に基づいてなされたものである。
【００１３】
この発明のヒートシンクの第１の態様は、遠心ファンを収納する空洞部を備えており、前記遠心ファンの回転軸方向に所定間隙で積層されて、前記遠心ファンの風を直交する２辺の直線状の端部側から吹き出す吹き出し口を備えた複数の薄板状体と、    
前記遠心ファンの回転軸方向と平行に配列された複数の放熱フィンを備え、前記遠心ファンの風が前記吹き出し口の一辺と平行に流れている前記遠心ファンの外周の接線の延長線上に配置された第２の放熱フィン部と、
前記吹き出し口の前記第２の放熱フィン部以外の位置に設けられ、積層された前記薄板状体の端部によって形成された複数の放熱フィンを有する第１の放熱フィン部と、
一方の端部が、発熱部品と熱的に接続された前記薄板状体の部分に熱的に接続され、他方の端部が、前記第１の放熱フィン部および第２の放熱フィン部に熱的に接続されている少なくとも１つのヒートパイプと、
を備えたヒートシンクである。  
【００１４】
この発明のヒートシンクの第２の態様は、前記第１の放熱フィン部が、前記遠心ファンの軸方向と垂直な方向に配置され、前記第２の放熱フィン部が、前記遠心ファンの軸方向と平行な方向にフィンが並列配置されているヒートシンクである。
【００１５】
この発明のヒートシンクの第３の態様は、前記薄板状体は、積層されて形成された空間を流れる空気を誘導する空気誘導部を備えており、前記第２の放熱フィン部は、遠心ファンの風が吹き出し口の一辺と平行に流れている部分に配置され、前記第１の放熱フィン部は、それ以外の部分に配置されて、前記空気誘導部によって誘導された風が、前記第１の放熱フィン部および前記第２放熱フィン部を通過するヒートシンクである。 
【００１６】
この発明のヒートシンクの第４の態様は、前記薄板状体が、所定部分を切り込み、屈曲して起こして形成した、垂直部および水平部からなる概ねＬ字形の切り起こし部、および、切り起こしによって形成された開口部を備えており、前記水平部が他の薄板状体と熱的に接続され、前記空気誘導部が前記切り起こし部からなっているヒートシンクである。
【００１７】
この発明のヒートシンクの第５の態様は、前記薄板状体の前記Ｌ字形の切り起こし部が、別の薄板状体に形成された前記開口部を貫通して、前記水平部が所定の薄板状体に熱的に接続されているヒートシンクである。
【００１８】
この発明のヒートシンクの第６の態様は、前記第２の放熱フィン部は、上面部、垂直面部および底面部からなる概ねコの字形のフィンを並列配置して形成されているヒートシンクである。
【００１９】
この発明のヒートシンクの第７の態様は、前記ヒートパイプの少なくとも一部が、前記薄板状体との間に、空間部を備えて配置されているヒートシンクである。
【００２０】
この発明のヒートシンクの第８の態様は、前記空間部を形成して配置された前記ヒートパイプの部分の上面および下面を、冷却用の空気が流れるようにヒートパイプが配置されているヒートシンクである。
【００２１】
この発明のヒートシンクの第９の態様は、前記ヒートパイプが２本の扁平型ヒートパイプからなり、発熱部品が熱的に接続された前記薄板状体の部分から、前記ヒートパイプが異なる方向に延伸して、前記薄板状体を囲むように配置されているヒートシンクである。
【発明の効果】
【００２２】
この発明によると、積層した薄板材の端部を第１の放熱フィンとして使用し、第１の放熱フィンと直交する方向に薄板材を並列配置した第２の放熱フィンを設け、そして、第２の放熱フィンは、遠心ファンの風が吹き出し口の一辺と平行に流れている部分に配置し、第１の放熱フィンを、それ以外の風の流れが曲がっている部分に配置するので、切り起こし部によって誘導された遠心ファンの風が２つの放熱フィンの間を円滑に通過することができ、冷却効率に優れたヒートシンクを得ることができる。
【００２３】
更に、この発明によると、切り起こしによって形成された開口部に、積層した別の薄板材の切り起こし部を貫通させて所望の薄板材に接合するので、切り起こし部も放熱機能を発揮し、積層した薄板材の間で、遠心ファンの風が相互に移動して、効果的な冷却ができる。
【発明を実施するための最良の形態】
【００２４】
この発明のヒートシンクの態様を、図面を参照して詳細に説明する。  
この発明のヒートシンクの１つの態様は、遠心ファンを収納する空洞部を備え、所定間隙で積層された複数の薄板状体と、
積層された薄板状体の端部によって形成された第１の放熱フィン部と、第１放熱フィン部と直交する方向に配置された第２の放熱フィン部と、
一方の端部が、発熱部品と熱的に接続された薄板状体の部分に熱的に接続され、他方の端部が、第１の放熱フィン部および第２の放熱フィン部に熱的に接続されている少なくとも１つのヒートパイプとを備えたヒートシンクである。
【００２５】
図１は、この発明のヒートシンクの１つの態様を説明する斜視図である。
薄板状体は、例えば、熱伝導性に優れた銅、アルミニウム、アルミニウム合金等の加工性の高い金属薄板材からなっている。ヒートパイプは、扁平型ヒートパイプを使用することができる。
【００２６】
図１に示すように、ヒートシンク１は、加工した薄板材２を積層し、２本のヒートパイプ４−１、４−２を配置している。ヒートパイプは、少なくとも一部が外側にはみだすように配置されて、薄板材２との間に、空間部７を備えている。ヒートパイプ４−１、４−２は、一方の端部５−１、５−２が発熱部品と熱的に接続された薄板材の部分に熱的に接続され、他方の端部６−１、６−２が薄板材の端部を利用した第１の放熱フィン部１４−１、１４−２に熱的に接続され、更に、第２の放熱フィン部８−１、８−２に熱的に接続されている。
【００２７】
即ち、放熱フィン部として、遠心ファンの回転軸に直交する方向にフィンが配列された第１の放熱フィン部（積層された薄板材の端部を放熱フィン部として使用している）１４と、遠心ファンの回転軸に平行にフィンが配列された放熱フィン部８との、フィンの方向が異なる２つの放熱フィン部を備えている。
【００２８】
複数の所定形状の薄板材２は、概ね中央部分に（図示しない）遠心ファンを収納する円形の開口を備えている。薄板材は所定間隙で積層され、円形の開口によって遠心ファンを収納する円柱状の空洞部が形成される。積層された薄板材は、遠心ファンを収納するケースの一部を形成している。積層された薄板材は、加工して形成された空気誘導部を備えている。
【００２９】
放熱フィン部８は、薄板材２の端部に接続され、薄板材２の空気誘導部に導かれた空気がその中を通る。遠心ファンの風は、図１、図６等に矢印で示すように、薄板材２の直交する２つの直線状の端部に設けられた吹き出し口から吹き出される。
遠心ファン付ヒートシンクでは、通常、積層された薄板材の最上部に吸気口を囲むようにして薄板材の端部に全面が接合されることが多い。 
【００３０】
この発明のヒートシンクでは、上述したように、ヒートパイプの一部を積層した薄板材の外部に突き出すように配置され、遠心ファンへの吸気口への空気の流れを容易にしている。放熱フィン部の数と対応して、複数本のヒートパイプが使用される。図１に示す態様では、２本の扁平型ヒートパイプを使用して、積層された薄板材の全周に沿って取り付けられている。
【００３１】
図２は、放熱フィン部を説明する部分拡大図である。図２に示すように、ヒートパイプの凝縮部が、第１の放熱フィン部１４および第２の放熱フィン部８に熱的に接続されている。第１の放熱フィン部１４は、積層された薄板材の端部がそのまま放熱フィン部として利用されている。積層された薄板材には、後述するように、切り起こし部が形成され、薄板材間で熱の移動が行われる。このように切り起こし部によって誘導された遠心ファンの風が、図中矢印で示すように、曲線を描きながら、薄板材の端部、即ち、第１の放熱フィン部を流れている。
【００３２】
第２の放熱フィン部８は、この態様では、上面、垂直面、および底面からなる概ねコの字形のフィンが並列配置されている。フィンの向きは、遠心ファンの回転軸に平行である。第２の放熱フィン部は、図２に示すように、放熱フィン部のフィンの向きに平行に遠心ファンの風が通過する。即ち、遠心ファンの風が吹き出し口の一辺と平行に流れている部分に配置される。このように、２種類の異なる放熱フィン部を備えているので、遠心ファンの風がフィン間を円滑に通過して、放熱効率が飛躍的に向上する。
【００３３】
図３は、薄板材の１つの例を示す斜視図である。図３に示すように、薄板材２は、一部が加工された薄板材からなっている。即ち、薄板材２の所定部分を切り込み、切り込んだ部分を屈曲して起こして形成した、垂直部１２および水平部１３からなる概ねＬ字形の切り起こし部１１、および、切り起こしによって生じた開口部１０を備えている。切り込みは、例えば、コの字形に３片に切り込みを入れて行われている。このように、薄板材２は加工性に富んでいるので、状況に対応して、さまざまな加工が可能である。
【００３４】
切り起こし部１１は、複数枚の加工された薄板材２が積層されたときに、垂直部１２が薄板材間の高さを規定し、水平部１３が他の薄板材２と接合されて熱的に接続される。このように、切り起こし部１１は、薄板材２間での熱伝導の働きをする機能を有している。さらに、切り起こし部１１の垂直部１２は、壁面として所定位置に配置されて、積層された複数の薄板材２の間を通る冷却風を所望の方向に誘導する誘導部として機能する。遠心ファンによって生じた風の流れの一例を矢印で示す。図３に矢印で示すように、所定位置に配置された複数の切り起こし部１１の垂直部１２が壁面として、風の流れを規制して、遠心ファンによって生じた風が、所望の方向に誘導される。
【００３５】
このように、切り起こし部１１の形状および大きさは、他の薄板材２との接続による熱伝導および冷却風の誘導方向によって各種設定することができる。加工性に優れた薄板材は、各種状況に対応でき、極めて設計自由に富んでいる。切り起こしによって生じた開口部１０は、積層された薄板材２の間の冷却風の移動を容易にすると共に、開口部１０を使用して、所望の薄板材２に、他の薄板材２の切り起こし部１１の垂直部１２を連絡することができる。
【００３６】
例えば、最下部の薄板材２の切り起こし部１１の垂直部１２を長く形成して、他の薄板材２の切り起こしによって生じた開口部１０を貫通して最上部の薄板材２の裏面に水平部１３を熱的に接続して接合する。このようにして、所望の薄板材２との間の連絡が可能で、所望の薄板材２に熱を伝導することができる。なお、薄板材２の形状は、遠心ファンの配置箇所、ヒートシンクとして利用できるスペース等によって、適宜設定することができる。
【００３７】
図４は、複数枚の加工した薄板材を積層する状態を説明する図である。図４においては、加工した薄板材を４枚積層する状態を示している。積層する薄板材を斜め下方から見た状態を示している。４枚の積層する薄板材２−１、２−２、２−３、２−４の最下部に位置する薄板材２−４に示すように、それぞれ所望の方向に切り起こして形成された複数の切り起こし部１１が設けられている。
【００３８】
切り起こし部１１は、矩形の３辺に切り込みを入れて、切り起こし、先端部を水平方向に屈曲して、それぞれ垂直部１２と水平部１３からなる概ねＬ字形に形成されている。切り起こし部１１の水平部１３は、他の薄板材との間の熱的な接続を容易にするために平らな面に形成されている。切り起こしによって生じた複数の開口部１０が薄板材２に備わっている。
【００３９】
この態様では、薄板材２−４の切り起こし部の高さ（垂直部の高さ）は概ね同一である。同様に、残りの３枚の薄板材２−１、２−２、２−３にも、概ね対応した位置に対応した大きさの、垂直部１２および水平部１３からなる切り起こし部１１が形成されている。最上部の薄板材２の表面には、扁平型のヒートパイプ４が薄板材２の周辺部を囲むようにして接合されて、熱的に接続されている。このように加工された薄板材２−１、２−２、２−３、２−４を、それぞれの切り起こし部１１の水平部１３が、積層されて隣接する薄板材２の裏面に熱的に接続される。切り起こし部１１の垂直部１２は、壁面のように位置して、遠心ファンからの冷却用空気の流れを所望の方向に規制して誘導するように、その方向が設定されている。
【００４０】
上述した４枚の加工された薄板材２が積層されると、薄板材２は切り起こし部１１の水平部１３で接合されているので、積層された薄板材２の相互の間で熱の伝導が行われ、更に、切り起こしによって生じた開口部１０を通って冷却用空気が、最下部から最上部の薄板材の間で相互に連絡することができる。このようにして、最上部の薄板材２に伝わったヒートパイプの熱は、その他の薄板材２に伝導され、遠心ファンによって、放熱フィン部８、１４に向かって移動される。
【００４１】
切り起こし部１１の垂直部１２の高さは、適宜設定することができる。図５は、異なる高さの垂直部１２を有する切り起こし部１１を組み合わせた状態を説明する部分拡大図である。図５に示すように、薄板材２間で、切り起こし部１１の垂直部１２の高さを変化させている。最下部の薄板材２は、垂直部１２−３、水平部１３−３からなる切り起こし部１１を備えている。下から２番目の薄板材２は、垂直部１２−２、水平部１３−２からなる切り起こし部１１を備えている。
【００４２】
図５に示すように、例えば、下側にある薄板材２−３の切り起こし部１１を垂直部１２−３が長く（高く）なるように設定し、薄板材２−２の開口部１０を貫通して、薄板材２−１の裏面に切り起こし部１１の水平部１３−３が接合されて熱的に接続されるようにする。このように、薄板間の間隙の大きさ等、状況に対応して、垂直部１２の高さを変化させることができる。例えば、４枚の積層された薄板材２の下部に位置する薄板材２の垂直部１２を最上部の薄板材２に直接接合させて、最上部の薄板材２に熱的に接続されたヒートパイプ４の熱を、切り起こし部１１を介して直接最下部の薄板材２に移動させて、冷却効率を高めることができる。１つの切り起こし部を別の薄板材の開口部を貫通して薄板材の裏面に接合する際、切り起こし部の位置が重なっているので、切り起こし部の水平部を重ねてもよいし、水平部の屈曲方向を変更して、重ならないように接合してもよい。
【００４３】
図６は、積層された薄板材の間を切り起こし部によって誘導されて流れる遠心ファンの風の流れを説明する図である。積層された薄板材２には、複数の切り起こし部１１および切り起こしによって形成された開口部１０が設けられている。切り起こし部は、遠心ファンの風の流れを小さい抵抗で所望の位置に誘導するように配置されている。遠心ファンの風は、図中に矢印で示すように流れている。吹き出し口と平行に流れている部分には、第２の放熱フィン部８が設けられ、それ以外の風の流れが曲がっている部分には第１の放熱フィン部が設けられている。このように、従来、利用できなかった風も冷却に使用することができ、ヒートシンクの性能が飛躍的に向上する。
【００４４】
図１を参照して、この発明のヒートシンクを更に詳細に説明する。
図１に示すように、積層された薄板材２の最上部の薄板材２−１の表面に、扁平型ヒートパイプ４が接合されて熱的に接続される。図１に示す態様では、２本の扁平型ヒートパイプ４−１、４−２が配置されている。ヒートパイプ４−１、４−２は、発熱部品が熱的に接続された薄板材２−１の部分に吸熱部としての一方の端部５−１、５−２が接合されて熱的に接続される。図１に示すように、それぞれのヒートパイプ４−１、４−２は、積層された薄板材２との間に、空間部７を備えて配置されている。
【００４５】
即ち、ヒートパイプ４−１、４−２は、同一面内に配置されて、一部が積層された薄板材２の外側に突き出すようにして配置されて、薄板材２との間に空間部７がそれぞれ形成される。この発明では、ヒートパイプ４−１、４−２を吸気口３の周りを囲むようにして全面にわたって薄板材２−１に接合させるのではなく、上述したように、ヒートパイプ４−１，４−２の一部を同一面上で薄板材２の外側に突き出すようにして配置して、薄板材２との間に空間部７を形成させている。このように同一面上で、ヒートパイプ４−１、４−２の一部を薄板材２の外側に突き出すと、ヒートシンク１全体の厚さは変わらず、吸気口３への空気の流れを大きくすることができる。
【００４６】
その結果、遠心ファンを回転させると、外側に突き出て薄板材２との間に空間部７を形成しているヒートパイプ４−１、４−２部分の上面および下面の両側を通って冷たい空気が吸気口３に向かって流れる。従って、ヒートパイプ４−１、４−２の一部を、吸気口３へ流れる冷たい空気によって冷却することができる。更に、外側に突き出て薄板材２との間に空間部７を形成しているヒートパイプ４−１、４−２の部分に（図示しない）別の放熱フィン部を接続すると、吸気口３に向かって流れる冷たい空気によって、ヒートパイプ４−１、４−２が冷却され、一層冷却効率が高まる。
【００４７】
ヒートパイプ４−１、４−２は、外側に突き出て薄板材２との間に空間部７を形成した後、薄板材２の最上部の表面に戻り、異なる２種類の放熱フィン部８、１４に接合されて熱的に接続される。例えば、積層された薄板材２の最上部の一部９が、屈曲されて、両側からヒートパイプ４−１、４−２を挟みつけるようにしてもよい。こうすることによって、加工された薄板材２によって、ヒートパイプ４の凝縮部６が薄板材の端部に接合されて熱的に接続される。
【００４８】
この発明の薄型ヒートパイプの１つの態様においては、異なる２種類の放熱フィン部８、１４を備えている。一方の放熱フィン部８は、加工され積層された薄板材２の端部に取り付けられた複数の薄板材からなる第１の放熱フィン部である。第１の放熱フィン部８のフィンは遠心ファンの軸方向に平行（即ち、垂直方向）に配置されている。第１の放熱フィン部８は、上述したように、例えば、底面、垂直面、上面からなる断面が概ねコの字形の板材を複数枚並列に配置して、垂直面が遠心ファンの軸方向に平行に配置されている。
【００４９】
上面および底面は複数個のフィンが並列配置されて、平らな面を形成している。一方の面は、例えば、図１に示すように、受熱面を形成して、ヒートパイプ４−１、４−２の下面に接合されて熱的に接続されている。第１の放熱フィン部８−１、８−２は、例えば、積層された薄板材２の中を誘導された風が、第１の放熱フィン部８−１、８−２の垂直面に概ね平行に流れる、ヒートシンクの隅部に配置される。第１の放熱フィン部８−１、８−２は図１に示すように、ヒートパイプ４−１、４−２の数と同じ数を配置することができる。
【００５０】
他方の放熱フィン部は、積層された薄板材２の端部が、第２の放熱フィン部１４を形成する。即ち、図１に示すように、扁平型ヒートパイプ４−１、４−２の凝縮部６−１、６−２が接合され熱的に接続されている薄板材の部分１４−１、１４−２が、遠心ファンの軸方向に直交する方向（即ち水平方向）に並列に配列されている。
【００５１】
この部分は、積層された薄板材２に、加工によって形成された切り起こし部１１の垂直部１２によって誘導され、排気口に斜め方向に流れる風（曲線の風を含む）が通過する。上述したように、遠心ファンの風の流れに対応した形状の複数種類の放熱フィン部８、１４を設けることによって、積層された薄板材の間を流れる風の流れが円滑になり、放熱効果を高めることができる。
【００５２】
なお、薄板材の一部に形成された概ね円形の開口を備えており、複数枚の薄板材を積層することによって形成される円柱状の空洞部に、遠心ファンが収納される。
【００５３】
この発明によると、遠心ファンの風が放熱フィンを円滑に通過することができる、冷却効率に優れたヒートシンクを提供することができる。
【図面の簡単な説明】
【００５４】
【図１】図１は、この発明のヒートシンクの１つの態様を説明する斜視図である。
【図２】図２は、放熱フィン部を説明する部分拡大図である。
【図３】図３は、薄板材の１つの例を示す斜視図である。
【図４】図４は、複数枚の加工した薄板材を積層する状態を説明する図である。
【図５】図５は、異なる高さの垂直部１２を有する切り起こし部１１を組み合わせた状態を説明する部分拡大図である。
【図６】図６は、積層された薄板材の間を切り起こし部によって誘導されて流れる遠心ファンの風の流れを説明する図である。
【符号の説明】
【００５５】
１  ヒートシンク
２  薄板材
３  空洞部、吸気口
４  ヒートパイプ
５  ヒートパイプの吸熱部
６  ヒートパイプの凝縮部
７  空間部
８  放熱フィン部
９  薄板材の屈曲された一部
１０  開口部
１１  切り起こし部
１２  垂直部
１３  水平部
１４  第２の放熱フィン部
１５  遠心ファン
【図１】
0004948461.tif 000002
【図２】
0004948461.tif 000003
【図３】
0004948461.tif 000004
【図４】
0004948461.tif 000005
【図５】
0004948461.tif 000006
【図６】
0004948461.tif 000007